(57)【要約】【課題】シールド板に開口部が形成されていても回路基板がノイズの影響を受けることを抑制し、より優れた耐ノイズ性能を実現した、ロータリスイッチ装置を搭載した電気測定器を提供する。【解決手段】電気測定器の測定機能を選択するためにロータリ摘み１１により回転操作される回転スイッチ手段１３は、ロータリブラシ１６を支持するブラシ台１４を備え、ブラシ台１４は、ロータリブラシ１６を取付けるための電気的絶縁材で形成されたロータリブラシ支持部材１４ａと、ロータリブラシ支持部材１４ａと一体に形成された導電性のブラシ台シールド部材１４ｂと、を有し、ブラシ台シールド部材１４ｂは、ブラシ台シールド部材１４ｂに取付けられたシールド接続ブラシ１７にてシールド板に電気的に接続されている。【選択図】図２
2015061051.tif 000002
【特許請求の範囲】
【請求項１】
電気的パラメータを測定する電気測定器であって、
回路素子等が設けられた回路基板と、前記回路基板上に設けられた回路素子等をシールドするためのシールド板との間に位置して、電気測定器の測定機能を選択するためにロータリ摘みにより回転操作される回転スイッチ手段を備え、前記回転スイッチ手段のロータリブラシが前記回路基板のロータリパターン接点に電気的に接触するロータリスイッチ装置を搭載した電気測定器において、
前記回転スイッチ手段は、前記ロータリブラシを支持するブラシ台を備え、
前記ブラシ台は、前記ロータリブラシを取付けるための電気的絶縁材で形成されたロータリブラシ支持部材と、前記ロータリブラシ支持部材の前記シールド板と対面する側に位置して前記ロータリブラシ支持部材と一体に形成された導電性のブラシ台シールド部材と、を有し、
前記ブラシ台シールド部材は、前記ブラシ台シールド部材に取付けられたシールド接続ブラシにて前記シールド板に電気的に接続されている、
ことを特徴とする電気測定器。
【請求項２】
電気的パラメータを測定する電気測定器であって、
回路素子等が設けられた回路基板と、前記回路基板上に設けられた回路素子等をシールドするためのシールド板との間に位置して、電気測定器の測定機能を選択するためにロータリ摘みにより回転操作される回転スイッチ手段を備え、前記回転スイッチ手段のロータリブラシが前記回路基板のロータリパターン接点に電気的に接触するロータリスイッチ装置を搭載した電気測定器において、
前記回転スイッチ手段は、前記ロータリブラシを支持するブラシ台を備え、
前記ブラシ台は、前記ロータリブラシを取付けるための電気的絶縁材で形成されたロータリブラシ支持部材と、前記ロータリブラシ支持部材の前記シールド板と対面する側に位置して前記ロータリブラシ支持部材と一体に形成された導電性のブラシ台シールド部材と、を有し、
前記ブラシ台シールド部材は、前記ブラシ台シールド部材に取付けられたシールド接続ブラシにて前記回路基板にロータリパターン接点の一つとして形成された回路ＧＮＤロータリパターン接点に電気的に接続されている、
ことを特徴とする電気測定器。
【請求項３】
前記ブラシ台は、電気的絶縁材にて形成されたブラシ台基台を有し、前記ブラシ台基台の前記シールド板と対面する側とは反対の側に位置して、前記ブラシ台基台に対して一体に前記ブラシ台シールド部材及び前記ロータリブラシ支持部材を形成することを特徴とする請求項２に記載の電気測定器。
【発明の詳細な説明】
【技術分野】
【０００１】
本発明は、ロータリスイッチ装置を搭載したディジタルマルチメータ、テスター等の電気測定器に関するものである。
【背景技術】
【０００２】
一般に、ディジタルマルチメータ、テスター等の電気パラメータを測定する電気測定器には、マルチメータ機能切り替え、レンジ切り替えなどの測定機能を選択するための手段として測定者が手で操作するロータリ摘み及び回転スイッチ手段等を備えたロータリスイッチ装置が搭載されている。
【０００３】
また、これら電気測定器は、その外装ケース内には、電気測定器の動作に必要な様々な回路素子等の電子部品が取付けられた回路基板が設置されており、該回路基板に上記ロータリスイッチ装置が作動的に連結されている。
【０００４】
一般に、このような構成の電気測定器は、耐ノイズ性能を向上させ、外来ノイズにより電気測定器の動作が影響を受けないように、回路基板は外装ケース内にて好ましくはその両面が導電材とされる下シールド板及び上シールド板にて覆われており、この下シールド板及び上シールド板は回路ＧＮＤに接続されている。
【０００５】
特許文献１には、上記構成の電気測定器の一例として、ディジタルマルチメータが記載されている。このディジタルマルチメータの概略構成を、本願添付の図７を参照して更に説明すると、ディジタルマルチメータ１００は、上ケース部材１０１と下ケース部材１０２とを備えており、この上、下ケース部材１０１、１０２にて画成されるメータ内部に回路基板１０３が配置され、回路基板１０３の両側には上シールド板１０４及び下シールド板１０５が配置されている。
【０００６】
また、ディジタルマルチメータ１００に搭載されたロータリスイッチ装置１０は、ロータリ摘み１１が回転支持軸１２により回転スイッチ手段１３に接続されている。回転スイッチ手段１３は、ロータリブラシ１６を備えており、回路基板１０３の接点（ロータリパターン接点）１０６に電気的に接触する。
【０００７】
なお、ロータリ摘み１１と回転スイッチ手段１３との間には、ロータリ摘み１１を回転スイッチ手段１３に接続したり、更には、戻り止め機構（或いは、クリック機構）１０７などを設置するために、上シールド板１０４には、大径の孔（開口部）１０８が形成されている。
【先行技術文献】
【特許文献】
【０００８】
【特許文献１】米国特許番号第７６５４８５７号公報
【発明の概要】
【発明が解決しようとする課題】
【０００９】
本発明者らは、このような構造のディジタルマルチメータ等の電気測定器について多くの研究実験を行ったところ、例え、上記特許文献１に記載するように、回路基板１０３の両面を導電性のシールド板１０４、１０５で覆い、シールド板１０４、１０５を回路ＧＮＤに接続したとしても、上述のように、回転スイッチ手段１３の上部のシールド材（上シールド板１０４）には大径の孔（開口部）１０８が形成されており、回路基板１０３はこの開口部１０８を介しての外来ノイズの影響を受け易いことが分かった。
【００１０】
そこで、本発明の目的は、シールド板に開口部が形成されていても回路基板がノイズの影響を受けることを抑制し、より優れた耐ノイズ性能を実現した、ロータリスイッチ装置を搭載した電気測定器を提供することである。
【課題を解決するための手段】
【００１１】
上記目的は本発明に係る電気測定器にて達成される。要約すれば、本発明の第一の態様によれば、
電気的パラメータを測定する電気測定器であって、
回路素子等が設けられた回路基板と、前記回路基板上に設けられた回路素子等をシールドするためのシールド板との間に位置して、電気測定器の測定機能を選択するためにロータリ摘みにより回転操作される回転スイッチ手段を備え、前記回転スイッチ手段のロータリブラシが前記回路基板のロータリパターン接点に電気的に接触するロータリスイッチ装置を搭載した電気測定器において、
前記回転スイッチ手段は、前記ロータリブラシを支持するブラシ台を備え、
前記ブラシ台は、前記ロータリブラシを取付けるための電気的絶縁材で形成されたロータリブラシ支持部材と、前記ロータリブラシ支持部材の前記シールド板と対面する側に位置して前記ロータリブラシ支持部材と一体に形成された導電性のブラシ台シールド部材と、を有し、
前記ブラシ台シールド部材は、前記ブラシ台シールド部材に取付けられたシールド接続ブラシにて前記シールド板に電気的に接続されている、
ことを特徴とする電気測定器が提供される。
【００１２】
本発明の第二態様によれば、
電気的パラメータを測定する電気測定器であって、
回路素子等が設けられた回路基板と、前記回路基板上に設けられた回路素子等をシールドするためのシールド板との間に位置して、電気測定器の測定機能を選択するためにロータリ摘みにより回転操作される回転スイッチ手段を備え、前記回転スイッチ手段のロータリブラシが前記回路基板のロータリパターン接点に電気的に接触するロータリスイッチ装置を搭載した電気測定器において、
前記回転スイッチ手段は、前記ロータリブラシを支持するブラシ台を備え、
前記ブラシ台は、前記ロータリブラシを取付けるための電気的絶縁材で形成されたロータリブラシ支持部材と、前記ロータリブラシ支持部材の前記シールド板と対面する側に位置して前記ロータリブラシ支持部材と一体に形成された導電性のブラシ台シールド部材と、を有し、
前記ブラシ台シールド部材は、前記ブラシ台シールド部材に取付けられたシールド接続ブラシにて前記回路基板にロータリパターン接点の一つとして形成された回路ＧＮＤロータリパターン接点に電気的に接続されている、
ことを特徴とする電気測定器が提供される。ここで、一実施態様によれば、前記ブラシ台は、電気的絶縁材にて形成されたブラシ台基台を有し、前記ブラシ台基台の前記シールド板と対面する側とは反対の側に位置して、前記ブラシ台基台に対して一体に前記ブラシ台シールド部材及び前記ロータリブラシ支持部材を形成する。
【発明の効果】
【００１３】
本発明によれば、シールド板に開口部が形成されていても回路基板がノイズの影響を受けることを抑制し、より優れた耐ノイズ性能を実現することができる。
【図面の簡単な説明】
【００１４】
【図１】本発明に係るロータリスイッチ装置を搭載した電気測定器の一実施例の概略構成を示す分解斜視図である。
【図２】図２（ａ）は、本発明に従って構成されるロータリスイッチ装置の一実施例の概略構成を示す分解断面図であり、図２（ｂ）は、回転スイッチ手段のロータリ接続ブラシの取付態様を説明する斜視図であり、図２（ｃ）は、回転スイッチ手段のシールド接続ブラシの取付態様を説明する斜視図である。
【図３】本発明に従って構成される回転スイッチ手段の他の実施例の概略構成を示す分解断面図である。
【図４】図４（ａ）は、本発明に従って構成されるロータリスイッチ装置の他の実施例の概略構成を示す分解断面図であり、図４（ｂ）は、回転スイッチ手段のロータリ接続ブラシ及びシールド接続ブラシの取付態様を説明する斜視図である。
【図５】図５（ａ）は、回路基板のロータリパターン接点の一例を説明するための平面図であり、図５（ｂ）は、本発明に従って構成される回路基板のロータリパターン接点の一例を説明するための平面図である。
【図６】図６（ａ）は、本発明に従って構成されるロータリスイッチ装置の他の実施例の概略構成を示す分解断面図であり、図６（ｂ）は、回転スイッチ手段のロータリ接続ブラシ及びシールド接続ブラシの取付態様を説明する斜視図である。
【図７】従来のロータリスイッチ装置を搭載したディジタルマルチメータの一例の概略構成を示す分解斜視図である。
【発明を実施するための形態】
【００１５】
以下、本発明に係る電気測定器を図面に則して更に詳しく説明する。
【００１６】
実施例１
図１に、本発明に係るロータリスイッチ装置１０を搭載した電気測定器１００の一実施例を示す。本実施例では、電気測定器１００は、図７を参照して説明した特許文献１に記載のディジタルマルチメータと同様の構成のディジタルマルチメータとされる。ただ、本発明の電気測定器１００は、斯かる構成のディジタルマルチメータに限定されるものではなく、電気的パラメータを測定するためにロータリスイッチ装置１０を搭載した種々の電気測定器に幅広く具現化し得る。
【００１７】
つまり、本発明の電気測定器１００は、主たる構成として、回路素子等が設けられた回路基板１０３と、回路基板１０３上に設けられた回路素子等を外来ノイズからシールドするためのシールド板１０４とを備え、シールド板１０４と回路基板１０３との間に位置して、ロータリ摘み１１により回転操作されて測定器の機能を選択するための回転スイッチ手段１３を備えたロータリスイッチ装置１０が配置されている。
【００１８】
更に詳しく説明すると、本実施例にて、ディジタルマルチメータ１００は、図７に記載のディジタルマルチメータと同様に、上ケース部材１０１と下ケース部材１０２を備えており、この上、下ケース部材１０１、１０２の内部に回路基板１０３が配置され、その両側に導電性部材にて形成された上シールド板１０４及び下シールド板１０５が配置されている。
【００１９】
本発明の特徴ある構成を有するロータリスイッチ装置１０の一実施例を示す図２（ａ）、（ｂ）、（ｃ）をも参照すると理解されるように、ロータリスイッチ装置１０を構成する回転セレクタノブ、即ち、ロータリ摘み１１は、その取付け孔１１ａに、回転スイッチ手段１３に一体的に設けられた回転支持軸１２の一端１２ａが固定的に接続され、回転支持軸１２の上記ロータリ摘み１１とは反対側の先端１２ｂは回路基板１０３の軸受け孔１０３ａに回転自在に軸受けされている。従って、ロータリ摘み１１を回転操作することにより回転スイッチ手段１３が回転する。
【００２０】
なお、ロータリ摘み１１と回転スイッチ手段１３との間には、図７に示すような戻り止め機構（或いは、クリック機構）１０７等が設置されているが、斯かる機構は、当業者には周知の構造であるので、図２（ａ）には図示していない。
【００２１】
本実施例によると、ロータリスイッチ装置１０の回転スイッチ手段１３は、図５（ａ）に示すような回路基板１０３に形成されたロータリパターン接点（固定接点部材）１０６に電気的に接触するためのばね性の可動接点部材とされるロータリブラシ１６を取付けるためのブラシ台１４を有している。本実施例では、ブラシ台１４は、ブラシ台１４の一方の側面（図２（ａ）にて下方の面）に位置して配置された電気的絶縁性のロータリブラシ支持部材１４ａと、ブラシ台１４の他方の側面（図２（ａ）にて上方の面）に位置してロータリブラシ支持部材１４ａと一体に形成された導電性のブラシ台シールド部材１４ｂとを有している。
【００２２】
本実施例にてロータリブラシ支持部材１４ａは、ブラシ台１４の基台として機能しており、例えば、ポリアセタールのような合成樹脂にて作製された、概略直径（ｄ）が４〜６ｃｍ、厚み（ｔ１）が１〜２ｍｍの円板状とされ、所定配置にてロータリブラシ１６が取付けられている。ロータリブラシ１６は、上述のように、回路基板１０３のロータリパターン接点１０６に摺動接触する。なお、本実施例では、ロータリブラシ支持部材１４ａの周囲にロータリブラシ支持部材１４ａと一体にフランジ１５が形成されているが、必須のものではない。
【００２３】
各ロータリブラシ１６は、上述したように、回路基板１０３に形成された、例えば、図５（ａ）に示すような形状とされる接点（ロータリパターン接点）１０６に接触するように構成されている。本実施例にてロータリブラシ１６は、図２（ｂ）に示すように、二股に形成された山形形状の薄板ばね接点部材１６ａが取付け基台１６ｂにてロータリブラシ支持部材１４ａに固定されているが、ロータリブラシ１６の形状は、これに限定されるものではない。
【００２４】
本実施例にてブラシ台シールド部材１４ｂは、金属材料にて好適に作製され、本実施例では、厚み（ｔ２）が０．１〜１ｍｍとされる薄板円板状の銅、アルミニウム、鋼などが使用される。場合によっては、カーボン等が混入された導電性樹脂材で作製することもできる。ブラシ台シールド部材１４ｂは、基台とされるロータリブラシ支持部材１４ａを成型する際に、同時に、ロータリブラシ支持部材１４ａと一体に成形することもできるが、別部品として作製されたロータリブラシ支持部材１４ａとブラシ台シールド部材１４ｂとを接着剤にて後接着或いは溶着することもできる。また、上述したように、ブラシ台１４は、回転支持軸１２が回転中心を貫通して一体に固定されているが、この回転支持軸１２は、ロータリブラシ支持部材１４ａもまた一体に樹脂にて成形することができる。
【００２５】
更に、本実施例によると、ブラシ台シールド部材１４ｂには、図２（ａ）、（ｃ）に示すように、１個又は複数個（本実施例では２個）のシールド接続ブラシ１７がロータリブラシ１６とは反対側の面に取付けられている。シールド接続ブラシ１７は、上記ロータリブラシ１６として使用される薄板ばね接点部材と同様に、二股に形成された山形形状の薄板ばね接点部材１７ａが取付け基台１７ｂにてブラシ台シールド部材１４ｂに固定されているが、ロータリブラシ１７の形状は、これに限定されるものではない。
【００２６】
このシールド接続ブラシ１７は、ディジタルマルチメータ１００の各構成要素が所定作動位置に組み立てられた状態では、上シールド板１０４の開口部１０８の領域外にて上シールド板１０４に接触し、シールド接続ブラシ１７は上シールド板１０４に電気的に接続されることとなる。上シールド板１０４は、図示してはいないが、従来メータと同じように、ネジ部材或いはリード線などを介して回路基板１０３の回路ＧＮＤに電気的に接続されている。
【００２７】
ロータリスイッチ装置１０をディジタルマルチメータに組み込んだ状態では、上述のように、回転スイッチ手段１３のロータリブラシ１６は、回路基板１０３のロータリパターン接点１０６に接触し、また、回転スイッチ手段１３のシールド接続ブラシ１７は、上シールド板１０４に接触する。従って、ロータリ摘み１１を回転すれば、回転スイッチ手段１３が回転し、ロータリブラシ１６は、回路基板１０３の所定のロータリパターン接点１０６に接触して測定機能を切り替え、また、シールド接続ブラシ１７は、上シールド板１０４に接触し、その状態を維持している。回転支持軸１２は、上シールド板１０４の開口部１０８の領域（略直径２ｃｍ）に対して小径（略直径５ｍｍ）とされ、実質的に開口部１０８の全領域がブラシ台シールド部材１４ｂにて覆われた状態となる。
【００２８】
このように、本実施例によると、上シールド板１０４の開口部１０８に相当する領域は、回転スイッチ手段１３のブラシ台シールド部材１４ｂにより実質的に覆われた、即ち、閉鎖された状態とされ、従来の上シールド板１０４の開口部１０８を介しての外来ノイズ信号は、回転スイッチ手段１３のブラシ台シールド部材１４ｂにて遮断される。従って、回路基板１０３が外来ノイズ信号により悪影響を受けるのが改善される。
【００２９】
（変更実施例）
上記実施例では、回転スイッチ手段１３のブラシ台１４は、概略直径（ｄ）が４〜６ｃｍ、厚み（ｔ１）が１〜２ｍｍの電気絶縁部材にて作製された円板状のロータリブラシ支持部材１４ａと、厚み（ｔ２）が０．１〜１ｍｍの導電性のブラシ台シールド部材１４ｂとを一体に接合した形状であるとして説明したが、本実施例では、図３に示すように、シールド接続ブラシ１７を支持するブラシ台シールド部材１４ｂを概略直径（ｄ）が４〜６ｃｍ、厚み（ｔ２）が１〜２ｍｍ程度の導電性部材にて作製し、この導電性のブラシ台シールド部材１４ｂの下面に、厚み（ｔ１）が０．１〜１ｍｍ程度の電気絶縁部材とされる薄板円板状のロータリブラシ支持部材１４ａを一体に接合し、ロータリブラシ１６をロータリブラシ支持部材１４ａに取付ける構造とすることもできる。つまり、この変更実施例では、シールド接続ブラシ１７を支持するブラシ台シールド部材１４ｂがブラシ台１４の基台として機能する。
【００３０】
斯かる構成によっても上記実施例と同様の作用効果を奏し得る。
【００３１】
実施例２
次に、本発明に係る電気測定器の第二の実施例について説明する。
【００３２】
本実施例の電気測定器１００の全体構成は、図１を参照して説明した実施例１の電気測定器１００と同様の構成とされ、本実施例では、ロータリスイッチ装置１０の構成において異なる。従って、本実施例のロータリスイッチ装置１０について詳しく説明する。
【００３３】
図４（ａ）、（ｂ）を参照すると、本実施例では、ロータリスイッチ装置１０の回転スイッチ手段１３にて、ブラシ台１４は、ブラシ台１４の一方の側面（図４（ａ）にて下方の面）に位置して配置された電気的絶縁性のロータリブラシ支持部材１４ａと、ブラシ台１４の他方の側面（図４（ａ）にて上方の面）に位置してロータリブラシ支持部材１４ａと一体に形成された導電性のブラシ台シールド部材１４ｂとを有している。
【００３４】
本実施例にてブラシ台シールド部材１４ｂは、ブラシ台１４の基台として機能しており、例えば、導電性部材にて作製された、概略直径（ｄ）が４〜６ｃｍ、厚み（ｔ２）が１〜２ｍｍの円板状とされる。導電性部材は、銅、アルミニウム、鋼などが使用され、場合によっては、カーボン等が混入された導電性樹脂も使用し得る。また、ブラシ台シールド部材１４ｂの下面に接合されたロータリブラシ支持部材１４ａは、厚み（ｔ１）が０．１〜１ｍｍ程度の、例えば、ポリアセタールのような合成樹脂にて作製される。
【００３５】
ロータリブラシ支持部材４ａには、ブラシ台シールド部材１４ｂとは反対側の面に、所定配置にてロータリブラシ１６が取付けられる。各ロータリブラシ１６は、回路基板１０３に形成された、例えば、図５（ｂ）に示すような形状とされる接点（ロータリパターン接点）１０６に接触するように構成されている。
【００３６】
本実施例にてロータリブラシ１６は、図４（ｂ）に示すように、二股に形成された山形形状の薄板ばね接点部材１６ａが取付け基台１６ｂにてロータリブラシ支持部材１４ａに固定されているが、ロータリブラシ１６の形状は、これに限定されるものではない。
【００３７】
更にブラシ台シールド部材１４ｂには、シールド接続ブラシ１７が取付けられている。本実施例では、シールド接続ブラシ１７は、ブラシ台１４にてロータリブラシ１６と同じ側に配置されており、シールド接続ブラシ位置に相当するロータリブラシ支持部材１４ａを切除し（切除領域１８）、シールド接続ブラシ１７が直接ブラシ台シールド部材１４ｂに取付けられる。シールド接続ブラシ１７は、ロータリブラシ１６と同様に、二股に形成された山形形状の薄板ばね接点部材１７ａが取付け基台１７ｂにてブラシ台シールド部材１４ｂに固定されているが、シールド接続ブラシ１７の形状は、これに限定されるものではない。このシールド接続ブラシ１７は、回転スイッチ手段１３が回路基板１０３に対して所定作動位置に組み立てられた状態では、回路基板１０３に形成された、例えば、図５（ｂ）に示すように、ブラシの可動範囲にて、ＧＮＤレベルのロータリパターン、即ち、回路ＧＮＤパターン１０９に接触し、シールド接続ブラシ１７、即ち、ブラシ台シールド部材１４ｂが常に回路ＧＮＤと等電位にするように構成されている。
【００３８】
ブラシ台１４は、回転中心に一体に回転支持軸１２が設けられており、回転支持軸１２の一端、図４（ａ）にて上方端１２ａは、ロータリ摘み１１の取付け孔１１ａに固定的に取付けられ、また、他端、図４（ａ）にて下方端１２ｂは、回路基板１０３の軸受け孔１０３ａに回転自在に嵌合される。
【００３９】
ロータリスイッチ装置１０をディジタルマルチメータ１００に組み込んだ状態では、回転スイッチ手段１３のロータリ接点ブラシ１６は、図５（ｂ）にて、回路基板１０３のロータリパターン接点１０６に接触し、また、回転スイッチ手段１３のシールド接続ブラシ１７は、回路基板１０３のロータリパターン接点の一つである回路ＧＮＤロータリパターン接点１０９に接触する。従って、ロータリ摘み１１を回転すれば、回転スイッチ手段１３が回転し、ロータリ接点ブラシ１６は、回路基板１０３のロータリパターン接点１０６に接触して測定機能を切り替える。なお、ロータリ摘み１１の可動範囲にて、シールド接続ブラシ１７は、ブラシ台シールド部材１４ｂを回路ＧＮＤロータリパターン接点１０９に接続した状態に維持する。
【００４０】
このように、本実施例によると、上シールド板１０４の開口部１０８に相当する領域は、回転スイッチ手段１３のブラシ台シールド部材１４ｂにより実質的に覆われた、即ち、閉鎖された状態とされ、従来の上シールド板１０４の開口部１０８を介しての外来ノイズ信号は、回転スイッチ手段１３のブラシ台シールド部材１４ｂにて遮断される。従って、回路基板１０３が外来ノイズ信号により悪影響を受けるのが改善され、より優れた耐ノイズ性能が実現できる。
【００４１】
実施例３
次に、本発明に係る電気測定器の第三の実施例について説明する。
【００４２】
本実施例の電気測定器１００の全体構成は、図１を参照して説明した実施例１の電気測定器１００と同様の構成とされ、本実施例では、ロータリスイッチ装置１０の構成において異なる。従って、本実施例のロータリスイッチ装置１０について詳しく説明する。
【００４３】
図６（ａ）、（ｂ）を参照すると、本実施例では、ロータリスイッチ装置１０の回転スイッチ手段１３にて、ブラシ台１４は、実施例２と同様に、電気絶縁性のロータリブラシ支持部材１４ａと、導電性のブラシ台シールド部材１４ｂとを備えているが、更に、これら部材を一体に支持する電気絶縁性のブラシ台基台１４ｃを有している点で異なる。
【００４４】
つまり、本実施例では、実施例２と同様に、ブラシ台シールド部材１４ｂは、金属材料とされ、通常、直径（ｄ）が４〜６ｃｍ、厚み（ｔ２）が０．１〜１ｍｍ程度の銅、アルミニウム、鋼などが使用される。場合によっては、カーボン等が混入された導電性樹脂で作製することもできる。更に、ブラシ台シールド部材１４ｂの下面に一体に接合されたロータリブラシ支持部材１４ａは、厚み（ｔ１）が０．１〜１ｍｍ程度の、例えば、ポリアセタールのような合成樹脂にて作製される。
【００４５】
特に、本実施例では、ロータリブラシ支持部材１４ａとブラシ台シールド部材１４ｂとは、ブラシ台シールド部材１４ｂ側に配置された厚さ（ｔ３）が１〜２ｍｍとされる例えば、ポリアセタールのような合成樹脂にて作製された、電気絶縁性のブラシ台基台１４ｃにて一体に保持されている。なお、ブラシ基台１４ｃの下面側に突出してブラシ台１４の外周囲にフランジ１５が形成されているが、必須のものではない。
【００４６】
これらブラシ基台１４ｃ、ブラシ台シールド部材１４ｂ、ロータリブラシ支持部材１４ａは、ブラシ基台１４ｃを成型する際に一体に成形することもできるが、それぞれ別部品として作製し、これらを接着剤等にて後接着或いは溶着することもできる。
【００４７】
本実施例によると、ロータリブラシ支持部材１４ａには、ブラシ台シールド部材１４ｂとは反対側の面に、所定の配置にてロータリブラシ１６が取付けられる。各ブラシ１６は、回路基板１０３に形成された、例えば、図５（ｂ）に示すような形状とされる接点（ロータリパターン）１０６に接触するように構成されている。
【００４８】
本実施例にてロータリブラシ１６は、図６（ｂ）に示すように、二股に形成された山形形状の薄板ばね接点部材１６ａが取付け基台１６ｂにてロータリブラシ支持部材１４ａに固定されているが、ブラシの形状は、これに限定されるものではない。
【００４９】
更にブラシ台シールド部材１４ｂには、シールド接続ブラシ１７が取付けられている。本実施例では、シールド接続ブラシ１７は、ブラシ台１４にてロータリブラシ１６と同じ側に配置されており、シールド接続ブラシ位置に相当するロータリブラシ支持部材１４ａを切除し（切除領域１８）、シールド接続ブラシ１７が直接ブラシ台シールド部材１４ｂに取付けられる。シールド接続ブラシ１７は、ロータリブラシ１６と同様に、二股に形成された山形形状の薄板ばね接点部材１７ａが取付け基台１７ｂにてブラシ台シールド部材１４ｂに固定されているが、シールド接続ブラシ１７の形状は、これに限定されるものではない。このシールド接続ブラシ１７は、回転スイッチ手段１３が回路基板１０３に対して所定作動位置に組み立てられた状態では、回路基板１０３に形成された、例えば、図５（ｂ）に示すように、ブラシの可動範囲にて、ＧＮＤレベルのロータリパターン、即ち、回路ＧＮＤパターン１０９に接触し、シールド接続ブラシ１７、即ち、ブラシ台シールド部材１４ｂが常に回路ＧＮＤと等電位にするように構成されている。
【００５０】
ブラシ台１４は、回転中心に一体に回転支持軸１２が設けられている。この回転支持軸１２は、ブラシ台１４と一体に成形することもできるが、別部材として作製し、ブラシ台１４に後で一体に固定することもできる。回転支持軸１２の一端、図６（ａ）にて上方端１２ａは、ロータリ摘み１１の取付け孔１１ａに固定的に取付けられ、また、他端、図６（ａ）にて下方端１２ｂは、回路基板１０３の軸受け孔１０３ａに回転自在に嵌合される。
【００５１】
ロータリスイッチ装置１０をディジタルマルチメータ１００に組み込んだ状態では、図５（ｂ）にて、回転スイッチ手段１３のロータリ接点ブラシ１６は、回路基板１０３のロータリパターン接点１０６に接触し、また、回転スイッチ手段１３のシールド接続ブラシ１７は、回路基板１０３のロータリパターン接点の一つである回路ＧＮＤロータリパターン接点１０９に接触する。従って、ロータリ摘み１１を回転すれば、回転スイッチ手段１３が回転し、ロータリ接点ブラシ１６は、回路基板１０３のロータリパターン接点１０６に接触して測定機能を切り替える。なお、ロータリ摘み１１の可動範囲にて、シールド接続ブラシ１７は、ブラシ台シールド部材１４ｂを回路ＧＮＤロータリパターン接点１０９に接続した状態に維持する。
【００５２】
このように、本実施例によると、上シールド板１０４の開口部１０８に相当する領域は、回転スイッチ手段１３のブラシ台シールド部材１４ｂにより実質的に覆われた、即ち、閉鎖された状態とされ、従来の上シールド板１０４の開口部１０８を介しての外来ノイズ信号は、回転スイッチ手段１３にて遮断される。従って、回路基板１０３が外来ノイズ信号により悪影響を受けるのが改善され、より優れた耐ノイズ性能が実現できる。
【符号の説明】
【００５３】
１０        ロータリスイッチ装置
１１        ロータリ摘み
１２        回転支持軸
１３        回転スイッチ手段
１４        ブラシ台
１４ａ      ロータリブラシ支持部材
１４ｂ      ブラシ台シールド部材
１４ｃ      ブラシ台基台
１６        ロータリブラシ
１７        シールド接続ブラシ
１００      電気測定器
１０１      上ケース部材
１０２      下ケース部材
１０３      回路基板
１０４      上シールド板
１０５      下シールド板
１０６      ロータリパターン接点
１０９      回路ＧＮＤロータリパターン接点
【図１】
2015061051.tif 000003
【図２】
2015061051.tif 000004
【図３】
2015061051.tif 000005
【図４】
2015061051.tif 000006
【図５】
2015061051.tif 000007
【図６】
2015061051.tif 000008
【図７】
2015061051.tif 000009